(57)【要約】【課題】アクセサリー取り付け時に効果的に放熱できる撮像装置を提供すること。【解決手段】撮像装置にアクセサリー取り付けを検出する手段と、アクセサリー取り付け部への熱伝達を変化させる手段を設け、アクセサリー取り付け検知時にはアクセサリー取り付け部への熱伝達を大きくすることを特徴とする構成とした。【選択図】図１
2020056859.tif 000002
【特許請求の範囲】
【請求項１】
撮像装置本体へのアクセサリー取り付けを検知する手段と、
撮像装置本体内部の発熱部からアクセサリー取り付け部の熱伝達を変化させる手段を備え、
撮像装置本体にアクセサリーが取り付けられた場合には、前記アクセサリーが取り付けられていない場合と比して熱伝達を多くすることを特徴とする撮像装置。
【請求項２】
前記熱伝達を変化させる手段は、ペルチェ素子であることを特徴とする請求項１に記載の撮像装置。
【請求項３】
前記熱伝達を変化させる手段は、位置変異可能な伝熱部材と、前記伝熱部材の位置を変化させる変化手段からなることを特徴とする請求項１に記載の撮像装置。
【請求項４】
前記アクセサリーは、アクセサリー内部に充電池を装着し、撮像装置本体に給電可能なアクセサリーであることを特徴とする請求項１に記載の撮像装置。
【請求項５】
前記取り付けを検知する手段は、撮像装置本体内部の制御回路と、アクセサリー内部の制御回路との通信手段であることを特徴とする請求項１又は４に記載の撮像装置。
【請求項６】
前記アクセサリーは放熱部材であることを特徴とする請求項１に記載の撮像装置。
【請求項７】
前記取り付けを検知する手段は、アクセサリー上部に設けた検出ピンが、撮像装置底部に設けた検出ピン挿入孔に挿入され、検出スイッチの切片を稼働せしめる構造であることを特徴とする請求項１、４、６の何れか一項に記載の撮像装置。
【発明の詳細な説明】
【技術分野】
【０００１】
本発明は、撮像装置に関し、特に着脱自在なアクセサリー装着可能な撮像装置に関する。
【背景技術】
【０００２】
従来の撮像装置では撮像装置に装着される外部装置に熱伝達する構成がとられていた。
【０００３】
特許文献１では撮像装置内部に設けられた発熱部材と、撮像装置の外観部に露出する位置に配置された放熱部と、前記発熱部材の熱を前記放熱部に伝達する伝熱部材と、前記伝熱部材と前記放熱部の間の熱抵抗を、前記放熱部の温度に応じて変化させる切替部材とを有し、前記放熱部は撮像装置に装着される複数種類の外部装置に熱伝達可能な位置に配置する技術が開示されている。
【先行技術文献】
【特許文献】
【０００４】
【特許文献１】特開２０１５−１２５３０９号公報
【発明の概要】
【発明が解決しようとする課題】
【０００５】
しかしながら、上記の特許文献１に開示された従来技術では三脚取付け部に装着されたアクセサリーの熱抵抗および熱容量による三脚取付け部の温度のみに依存して三脚取付け部への熱抵抗を変化させることになるため、装着されたアクセサリー側の表面温度が十分低くない場合は熱抵抗を変化させることが出来ず、放熱することができないと言う問題を有していた。
【０００６】
本発明は上記の従来技術の問題に鑑みてなされたものであり、動作時の本体からの適切な放熱を可能とする撮像装置を提供することにある。
【課題を解決するための手段】
【０００７】
上記の目的を達成するために、本発明に係る撮像装置は、熱抵抗を変化させる手段として動作を制御可能なものを設けるとともに、アクセサリーの装着を検知およびアクセサリー種別、状態を判定する手段を設け、装着されたアクセサリーの種別、状態に応じて熱抵抗を変化させる構成とした。
【発明の効果】
【０００８】
本発明に係る撮像装置によれば、熱抵抗を変化させる手段として動作を制御可能なものを設けるとともに、アクセサリーの装着を検知およびアクセサリー種別、状態を判定する手段を設け、装着されたアクセサリーの種別、状態に応じて熱抵抗を変化させる構成としたことにより撮像装置本体からの適切な放熱を可能とした。
【図面の簡単な説明】
【０００９】
【図１】第一の実施例の構成を示すブロック図
【図２】第一の実施例の充電シーケンスを示すフローチャート
【図３】第一の実施例の放熱シーケンスを示すフローチャート
【図４Ａ】第二の実施例の構成を示すブロック図
【図４Ｂ】第二の実施例の構成を示すブロック図
【発明を実施するための形態】
【００１０】
以下に、本発明の好ましい実施の形態を、添付の図面に基づいて詳細に説明する。図１は、本発明の実施形態にかかわる撮像装置のブロック図である。
【実施例１】
【００１１】
以下、図１を参照して、本発明の第１の実施例による撮像装置について説明する。１はカメラ本体、２はバッテリーグリップである。
【００１２】
また、１０１は撮像素子、１０２は映像処理回路、１０３はカメラ制御回路、１０４は電源回路、１０５はヒートパイプ、１０６はペルチェ素子、１０７は受電端子、１０８は通信端子、１０９はカメラ本体に着脱自在のメモリーカード、１１０はＳＴＡＲＴ／ＳＴＯＰボタンである。
【００１３】
さらに、２０１はグリップ制御回路、２０２はバッテリーグリップに着脱自在の充電池、２０３は給電端子、２０４は充電回路、２０５は受電端子、２０６は通信端子である。
【００１４】
図に従って本実施例の動作を説明する。グリップ制御回路２０１はバッテリーグリップ２に充電池２０２が装着されると充電池２０２の端子電圧、充電器制御通信状態などから装着を検知することができる。充電池２０２が装着されている状態で、グリップ制御回路２０１が受電端子２０５に外部の電源装置から電源が供給されたことを検知すると、充電池２０２の充電状態に応じて充電回路２０４を制御し、充電池２０２を充電する。
【００１５】
バッテリーグリップ２がカメラ本体１に装着されると電池２０２から給電端子２０３とカメラ側の受電端子１０８が接続され、カメラ本体２に電力が供給される。電力が供給されるとカメラ制御回路１０３は通信端子１０９経由でグリップ制御回路２０１との通信を試み、通信が成立した場合は通信端子１０９と通信端子２０６が接続されているものと判断するとともに、電力がバッテリーグリップ２より供給されているものと判断する。
【００１６】
ＳＴＡＲＴ／ＳＴＯＰボタン１１０が押し下げられるとカメラ本体１は撮影状態になる。撮影状態では撮像素子１０１にて光電変換された被写体像は映像処理回路１０２で所定の処理を施され、メモリーカード１０９に記録される。これらの動作に必要な各種電源は受電端子１０７より電池電力を供給される電源回路１０４にて所定に電圧に変換され、各部に供給される。
【００１７】
撮影動作中は映像処理回路１０２の消費電力が大きく温度上昇が大きいため放熱が必要となる。そこで映像処理回路１０２に熱的に接続されたヒートパイプ１０５を用いて熱輸送を行う。
【００１８】
カメラ制御回路１０３はグリップ制御回路２０１との通信によってバッテリーグリップ２がカメラ本体１に接続されていると判断される場合にはペルチェ素子１０６に通電することによりヒートパイプ１０５からの熱量をカメラ本体１とバッテリーグリップ２の接続部へと移動させる。
【００１９】
前記接続部に移動された熱量は接続部に接触しているバッテリーグリップ２を経由して放熱されることにより、カメラ全体の温度上昇が抑制される。
【００２０】
一方、カメラ制御回路１０３とグリップ制御回路２０１との通信が成立しておらず、バッテリーグリップ２がカメラ本体１に接続されていないと判断される場合にはペルチェ素子１０６への通電量をバッテリーグリップ２がカメラ本体１に接続されている場合よりも少なく制限することによりヒートパイプ１０５からの熱量がカメラ本体１の底面に移動する量を制御することにより、カメラ本体１全体が均等に温度上昇させてカメラ本体１全体から放熱する。
【００２１】
撮影状態においてＳＴＡＲＴ／ＳＴＯＰボタン１１０が再度押し下げられると撮影状態が解除され、上記の動作を停止する。
【００２２】
図２は上述従来例のバッテリーグリップ２が充電池２０２に充電する際の動作を示したフローチャートであり、図に従って動作を説明する。
【００２３】
充電シーケンスが開始されると（Ｓ１００１）、グリップ制御回路２０１は充電池２０２の装着状態を確認する（Ｓ１００２）。充電池２０２が装着されていない場合は（Ｓ１００２：ＮＯ）再度装着検知を実施する。充電池２０２が装着されている場合は（Ｓ１００２：ＹＥＳ）受電端子２０５に外部より電源が供給されているかどうかをチェックする（Ｓ１００３）。
【００２４】
受電端子２０５に外部より電源が供給されていない場合には（Ｓ１００３：ＮＯ）電源供給されるまで電源状態チェックを繰り返す。受電端子２０５に外部より電源が供給されている場合には（Ｓ１００３：ＹＥＳ）充電動作を開始する（Ｓ１００４）。
【００２５】
充電動作を開始すると随時充電池２０２の端子電圧を測定し（Ｓ１００５）、端子電圧が所定電圧に達しているかどうかをチェックする（Ｓ１００６）。端子電圧が所定電圧に達していなければ（Ｓ１００６：ＮＯ）充電動作を継続し、端子電圧が所定電圧に達していれば（Ｓ１００６：ＹＥＳ）充電動作を停止し（Ｓ１００７）、充電シーケンスを終了する（Ｓ１００８）。
【００２６】
図３は上述従来例における撮影シーケンス中のカメラ本体１の放熱動作を示したフローチャートであり、図に従って動作を説明する。
【００２７】
撮影シーケンスが開始されると（Ｓ２００１）ＳＴＡＲＴ／ＳＴＯＰボタン１１０の押し下げ状態がチェックされる（Ｓ２００２）。ＳＴＡＲＴ／ＳＴＯＰボタン１１０が押し下げられるまでは（Ｓ２００２：ＮＯ）撮影待機状態が継続し、ＳＴＡＲＴ／ＳＴＯＰボタン１１０が押し下げられると（Ｓ２００２：ＹＥＳ）撮影動作を開始する。
【００２８】
撮影動作が開始されるとバッテリーグリップ２の装着状態がチェックされ（Ｓ２００４）、バッテリーグリップ２が装着されている場合は（Ｓ２００４：ＹＥＳ）ペルチェ電流として第一の電流Ｉ１が設定される（Ｓ２００５）。バッテリーグリップ２が装着されていない場合には（Ｓ２００４：ＮＯ）ペルチェ電流として前記Ｉ１よりも小さい第二の電流Ｉ２が設定される（Ｓ２００６）。
【００２９】
ペルチェ電流が設定されるとペルチェ素子１０６に通電が開始され（Ｓ２００８）、映像処理回路１０２の発熱がヒートシンク１０５を介してペルチェ素子１０６の表面で吸収され、ペルチェ素子１０６の裏面から三脚取付け部を介して放熱される。
【００３０】
撮影動作中は継続してＳＴＡＲＴ／ＳＴＯＰボタン１１０の押し下げ状態がチェックされ（Ｓ２００８）、ＳＴＡＲＴ／ＳＴＯＰボタン１１０が押し下げられない間は（Ｓ２００８：ＮＯ）撮影状態が継続される。ＳＴａｒｔ／ＳＴＯＰボタン１１０が押し下げられると（Ｓ２００８：ＹＥＳ）撮影動作を停止し（Ｓ２００９）、ペルチェ素子１０７への通電を停止し（Ｓ２０１０）、撮影シーケンスを終了する（Ｓ２０１１）。
【００３１】
上述した第１の実施例においては、カメラ本体１とバッテリーグリップ２との間の通信端子を用いてアクセサリーの装着を検知し、それに応じてカメラ内部の発熱部からアクセサリー取り付け部への熱伝達を変化させることによりカメラ本体１からの放熱を適切なものにすることができた。
【実施例２】
【００３２】
以下、図４Ａ、図４Ｂを参照して、本発明の第２の実施例による撮像装置について説明する。
【００３３】
図４Ａ、図４Ｂにおいて図１と同一部品には同一符号を付し説明を省略する。また、１２０はカメラ本体１底面に設けられたアクセサリー検出孔、１２１はアクセサリー検出用スイッチ、３は放熱アクセサリー、３０１はアクセサリー識別ピンである。
【００３４】
図４Ａはカメラ本体１と放熱アクセサリー３が結合した状態を示しており、放熱アクセサリー３に設けられたアクセサリー識別ピン３０１がカメラ本体１底面に設けられたアクセサリー検出孔１２０に挿入されるとともに、アクセサリー検出用スイッチ１２１の切片を押し上げてアクセサリー検出用スイッチ１２１を閉成せしめることにより、カメラ制御回路１０３に放熱アクセサリー３が装着されていることを検出させることができる。
【００３５】
図４Ｂはカメラ本体１と放熱アクセサリー３が分離した状態を示しており、放熱アクセサリー３に設けられたアクセサリー識別ピン３０１がカメラ本体１底面に設けられたアクセサリー検出孔１２０に挿入されておらず、アクセサリー検出用スイッチ１２１の切片が押し上げられないためアクセサリー検出用スイッチ１２１は開止状態のままとなり、カメラ制御回路１０３に放熱アクセサリー３が装着されていないことを検出させることができる。
【００３６】
ＳＴＡＲＴ／ＳＴＯＰボタン１１０が押し下げられるとカメラ本体１は撮影状態になる。撮影状態では撮像素子１０１にて光電変換された被写体像は映像処理回路１０２で所定の処理を施され、メモリーカード１１０に記録される。これらの動作に必要な各種電源はカメラ本体１内部に装着された充電池２０２から供給される電源回路１０４にて所定に電圧に変換され、各部に供給される。
【００３７】
撮影動作中は映像処理回路１０２の消費電力が大きく温度上昇が大きいため放熱が必要となる。そこで映像処理回路１０２に熱的に接続されたヒートパイプ１０５を用いて熱輸送を行う。
【００３８】
カメラ制御回路１０３はアクセサリー検出用スイッチ１２１が閉成することによって放熱アクセサリー３がカメラ本体１に接続されていると判断される場合にはペルチェ素子１０６に通電することによりヒートパイプ１０５からの熱量をカメラ本体１と放熱アクセサリー３の接続部へと移動させる。
【００３９】
前記接続部に移動された熱量は接続部に接触している放熱アクセサリー３を経由して放熱されることにより、カメラ全体の温度上昇が抑制される。
【００４０】
一方、アクセサリー検出用スイッチ１２１が開止しており、放熱アクセサリー３がカメラ本体１に接続されていないと判断される場合にはペルチェ素子１０６への通電量を放熱アクセサリー３がカメラ本体１に接続されている場合よりも少なく制限することによりヒートパイプ１０５からの熱量がカメラ本体１の底面に移動する量を制御することにより、カメラ本体１全体が均等に温度上昇させてカメラ本体１全体から放熱する。
【００４１】
撮影状態においてＳＴＡＲＴ／ＳＴＯＰボタン１１０が再度押し下げられると撮影状態が解除され、上記の動作を停止する。
【００４２】
上述した第２の実施例においては、カメラ本体１底部に設けたアクセサリー取り付け検出孔に、アクセサリー３上部に設けた検出ピンを挿入し、カメラ本体内の検出スイッチの状態を変化させることによりアクセサリーの装着を検知し、それに応じてカメラ内部の発熱部からアクセサリー取り付け部への熱伝達を変化させることにより、通信機能を有しないアクセサリーが取り付けられた場合にもカメラ本体１からの放熱を適切なものにすることができた。
【００４３】
以上、本発明の好ましい実施形態について説明したが、本発明はこれらの実施形態に限定されず、アクセサリー検出手段として通信端子やスイッチ以外の歪センサーや検出電極などを用いることも可能である。また、熱移送量の変更手段としてもペルチェ素子に限らず、熱伝導部材をアクチュエーターで変異させてもよく、その要旨の範囲内で種々の変形及び変更が可能である。
【符号の説明】
【００４４】
１  カメラ本体、２  バッテリーグリップ、３  放熱アクセサリー、
１０１  撮像素子、１０２  映像処理回路、１０３  カメラ制御回路、
１０４  電源回路、１０５  ヒートパイプ、１０６  ペルチェ素子、
１０７  受電端子、１０８  通信端子、１０９  メモリーカード、
１１０  ＳＴＡＲＴ／ＳＴＯＰボタン、１２０  アクセサリー検出孔、
１２１  アクセサリー検出用スイッチ、２０１  グリップ制御回路、
２０２  充電池、２０３  給電端子、２０４  充電回路、
２０５  受電端子、２０６  通信端子、３０１  アクセサリー識別ピン
【図１】
2020056859.tif 000003
【図２】
2020056859.tif 000004
【図３】
2020056859.tif 000005
【図４Ａ】
2020056859.tif 000006
【図４Ｂ】
2020056859.tif 000007